(57)【要約】【課題】カードの取り忘れを簡便確実に防止可能とする。【解決手段】非接触ＩＣカードを、非接触ＩＣカードのカードリーダ近傍の所定位置に保持するカード保持部３０５と、非接触ＩＣカードの読取り情報を前記カードリーダから取得し、当該読取り情報に基づき証明書の作成・発行処理を実行する証明書作成・発行部６２０と、証明書の発行処理終了後、予め設定した時間経過後に、前記カードリーダから非接触ＩＣカードへの読取り動作を実行し、当該非接触ＩＣカードが前記所定位置に存在するか否かを判定する、非接触ＩＣカード検知部６０７と、前記判定において非接触ＩＣカードが所定位置に存在していた場合、非接触ＩＣカードの残置警告を出力インターフェイスに出力する、警告出力部６３０と、から装置構成する。【選択図】図１
2006146558.tif 000002
【特許請求の範囲】
【請求項１】
非接触ＩＣカードに基づく証明書発行を行う証明書発行装置であって、
非接触ＩＣカードを、非接触ＩＣカードのカードリーダ近傍の所定位置に保持するカード保持部と、
前記非接触ＩＣカードの読取り情報を前記カードリーダから取得し、当該読取り情報に基づき証明書の作成・発行処理を実行する証明書作成・発行部と、
前記証明書の発行処理終了後、予め設定した時間経過後に、前記カードリーダから前記非接触ＩＣカードへの読取り動作を実行し、当該非接触ＩＣカードが前記所定位置に存在するか否かを判定する、非接触ＩＣカード検知部と、
前記判定において、前記非接触ＩＣカードが前記所定位置に存在していた場合、非接触ＩＣカードの残置警告を出力インターフェイスに出力する、警告出力部と、
を備えることを特徴とする証明書発行装置。
【請求項２】
請求項１において、
前記判定において、前記非接触ＩＣカードが前記所定位置に存在していた場合、非接触ＩＣカードに対する無効化処理を前記カードリーダまたは非接触ＩＣカードの有効性情報を管理する外部装置に指示する、カード無効化部を備えることを特徴とする証明書発行装置。
【請求項３】
請求項２において、
前記無効化処理により無効化された非接触ＩＣカードに関して、前記カードリーダより読取り情報の取得がなされた場合、前記非接触ＩＣカードに紐付けされた暗証番号の入力を入力インターフェイスより受付て、当該暗証番号に基づく本人確認処理を実行する、本人確認部と、
前記本人確認処理により、暗証番号が正しく前記非接触ＩＣカードの所持者であるとされた場合、前記非接触ＩＣカードに対する有効化処理を前記カードリーダまたは非接触ＩＣカードの有効性情報を管理する外部装置に指示する、カード有効化部と、
を備えることを特徴とする証明書発行装置。
【請求項４】
非接触ＩＣカードに基づく証明書発行を証明書発行装置により実行する方法であって、
前記非接触ＩＣカードの読取り情報をカードリーダから取得し、当該読取り情報に基づき証明書の作成・発行処理を実行し、
前記証明書の発行処理終了後、予め設定した時間経過後に、前記カードリーダから前記非接触ＩＣカードへの読取り動作を実行し、当該非接触ＩＣカードが前記所定位置に存在するか否かを判定し、
前記判定において、前記非接触ＩＣカードが前記所定位置に存在していた場合、非接触ＩＣカードの残置警告を出力インターフェイスに出力する、ことを特徴とする証明書発行方法。
【請求項５】
非接触ＩＣカードに基づく証明書発行を証明書発行装置に実行させるプログラムであって、
前記非接触ＩＣカードの読取り情報をカードリーダから取得し、当該読取り情報に基づき証明書の作成・発行処理を実行するステップと、
前記証明書の発行処理終了後、予め設定した時間経過後に、前記カードリーダから前記非接触ＩＣカードへの読取り動作を実行し、当該非接触ＩＣカードが前記所定位置に存在するか否かを判定するステップと、
前記判定において、前記非接触ＩＣカードが前記所定位置に存在していた場合、非接触ＩＣカードの残置警告を出力インターフェイスに出力するステップと、
を備えることを特徴とする証明書発行プログラム。
【発明の詳細な説明】
【技術分野】
【０００１】
本発明は、証明書発行装置、証明書発行方法、および証明書発行プログラムに関する。
【背景技術】
【０００２】
証明書発行装置において、個人情報を格納したカードの情報を取得して本人確認を行い、該個人に関する証明書を発行するといった技術が提案されている。従来より、このカードとしては磁気カードや接触式ＩＣカードが用いられており、これらに対応する証明書発行装置には、読み取り及び書き込みに際してカードを吸込み及び送り出しする機構が備えられている。
【０００３】
この機構には、一定時間経過後もカードが残置され、取り忘れが生じている状況に際し、再度吸込み動作を実行する機能が設けられており、カード取り忘れ時に装置内部にカードを保持することで、他者にカードを取得されることを防止することが可能であった。
【０００４】
一方、近年ではカードを装置近傍に置くだけで読み取り及び書き込みが可能になる非接触ＩＣカードが普及しており、これに対応する証明書発行装置が求められている。非接触ＩＣカード対応の装置では、カードと装置とが離れた状態で読み取り及び書き込みが可能であるため、非接触ＩＣカードの形状がいわゆるカード型でない媒体でも利用可能であり、またカードの破損が少ないという利点がある。
【０００５】
このような非接触ＩＣカードに対応する証明書発行装置としては、非特許文献１に記載されるような装置や非特許文献２に記載されるような装置がある。
【非特許文献１】日経ＩＴビジネス＆ニュース  記事2003/3/4 電子マネー対応自動販売機
【非特許文献２】インターネット ウォッチ  記事2003/8/19  電子マネー対応情報端末
【発明の開示】
【発明が解決しようとする課題】
【０００６】
上記非特許文献１に記載の従来の非接触ＩＣカードに対応する装置では、利用者が非接触ＩＣカードを手離さないように読み取り及び書き込みにカードの受け皿を搭載しない形状にして取り忘れを防止している。しかしながら、利用者が取引中にキー入力やタッチパネルの操作等を必要とするような利用形態の場合には、ＩＣカードを持ったままでは操作がしづらくなってしまうという問題が残されていた。
【０００７】
また、非特許文献２に記載の装置では、非接触ＩＣカードを保持する受け皿を設け、操作終了後に利用者へカードを受け取るように促す音声警告を発することで、カード取り忘れを防止するとしている。しかし、この音声警告をどのタイミングでどういった時間発するのか判断が難しいという問題があった。
【０００８】
そこで本発明は上記課題を鑑みてなされたものであり、カードの取り忘れを簡便確実に防止可能とする、証明書発行装置、証明書発行方法、および証明書発行プログラムを提供することを主たる目的とする。
【課題を解決するための手段】
【０００９】
上記課題を解決する本発明の証明書発行装置は、非接触ＩＣカードに基づく証明書発行を行う証明書発行装置であって、非接触ＩＣカードを、非接触ＩＣカードのカードリーダ近傍の所定位置に保持するカード保持部と、前記非接触ＩＣカードの読取り情報を前記カードリーダから取得し、当該読取り情報に基づき証明書の作成・発行処理を実行する証明書作成・発行部と、前記証明書の発行処理終了後、予め設定した時間経過後に、前記カードリーダから前記非接触ＩＣカードへの読取り動作を実行し、当該非接触ＩＣカードが前記所定位置に存在するか否かを判定する、非接触ＩＣカード検知部と、前記判定において、前記非接触ＩＣカードが前記所定位置に存在していた場合、非接触ＩＣカードの残置警告を出力インターフェイスに出力する、警告出力部と、を備えることを特徴とする（第１の発明）。
【００１０】
第２の発明は、第１の発明において、前記判定において、前記非接触ＩＣカードが前記所定位置に存在していた場合、非接触ＩＣカードに対する無効化処理を前記カードリーダまたは非接触ＩＣカードの有効性情報を管理する外部装置に指示する、カード無効化部を備えることを特徴とする。
【００１１】
第３の発明は、第２の発明において、前記無効化処理により無効化された非接触ＩＣカードに関して、前記カードリーダより読取り情報の取得がなされた場合、前記非接触ＩＣカードに紐付けされた暗証番号の入力を入力インターフェイスより受付て、当該暗証番号に基づく本人確認処理を実行する、本人確認部と、前記本人確認処理により、暗証番号が正しく前記非接触ＩＣカードの所持者であるとされた場合、前記非接触ＩＣカードに対する有効化処理を前記カードリーダまたは非接触ＩＣカードの有効性情報を管理する外部装置に指示する、カード有効化部と、を備えることを特徴とする。
【００１２】
第４の発明は、非接触ＩＣカードに基づく証明書発行を証明書発行装置により実行する方法であって、前記非接触ＩＣカードの読取り情報をカードリーダから取得し、当該読取り情報に基づき証明書の作成・発行処理を実行し、前記証明書の発行処理終了後、予め設定した時間経過後に、前記カードリーダから前記非接触ＩＣカードへの読取り動作を実行し、当該非接触ＩＣカードが前記所定位置に存在するか否かを判定し、前記判定において、前記非接触ＩＣカードが前記所定位置に存在していた場合、非接触ＩＣカードの残置警告を出力インターフェイスに出力する、ことを特徴とする。
【００１３】
第５の発明は、非接触ＩＣカードに基づく証明書発行を証明書発行装置に実行させるプログラムであって、前記非接触ＩＣカードの読取り情報をカードリーダから取得し、当該読取り情報に基づき証明書の作成・発行処理を実行するステップと、前記証明書の発行処理終了後、予め設定した時間経過後に、前記カードリーダから前記非接触ＩＣカードへの読取り動作を実行し、当該非接触ＩＣカードが前記所定位置に存在するか否かを判定するステップと、前記判定において、前記非接触ＩＣカードが前記所定位置に存在していた場合、非接触ＩＣカードの残置警告を出力インターフェイスに出力するステップと、を備えることを特徴とする。
【００１４】
その他、本願が開示する課題、及びその解決方法は、発明の実施の形態の欄、及び図面により明らかにされる。
【発明の効果】
【００１５】
本発明によれば、カードの取り忘れが簡便確実に防止可能となる。
【発明を実施するための最良の形態】
【００１６】
−−−システム構成−−−
以下に本発明の実施形態について図面を用いて詳細に説明する。図１は本実施形態における証明書発行装置を含むネットワーク構成図である。なお、証明書発行装置１００は、カードリーダ１０１、および音声警告を発生するスピーカー１０２を一体に備えるものとする。また、ネットワーク２０４を介して、監視端末２０１、サーバ２０２、データベース２０３と接続可能になっている。なお、図１に示す例では、証明書発行装置１００が１台となっているが、１つのサーバ２０２に対し複数接続することとしてもよい。
【００１７】
本実施形態においては、上述したとおり、証明書発行装置１００とサーバ２０２とがネットワーク２０４により接続されており、証明書発行装置１００で非接触ＩＣカード３０２から取得した個人情報をサーバ２０２に送信し、当該サーバ２０２を介してデータベース２０３中より証明書情報を取得することにより、証明書発行処理を行う状況が想定できる。
【００１８】
ここで、監視端末２０１はサーバ２０２および証明書発行装置１００の稼動状況を監視する端末である。また、サーバ２０２は、個人情報、証明書情報の他に、非接触ＩＣカード３０２を管理する情報をデータ２０３に備えている。
【００１９】
また図２に示すように、前記カードリーダ１０１は、非接触ＩＣカード３０２の電波を取得するアンテナ３０１および非接触ＩＣカード制御部３０３を少なくとも備える。また、前記アンテナ３０１における電波取得範囲はライン３０４に示すものとなっている。カードリーダ１０１は、非接触ＩＣカード３０２を当該カードリーダ１０１近傍（例えば前記アンテナ３０１の電波取得範囲内）の所定位置に保持する受け皿３０５（カード保持部）を備えている。これにより、利用者は各種操作中に非接触ＩＣカード３０２を前記受け皿３０５に置くことができる。
【００２０】
証明書発行装置１００は、前記カードリーダ１０１の前記アンテナ３０１を通して非接触ＩＣカード３０２の情報を取得したり、非接触ＩＣカード３０２に適宜な情報を送信することとなる。また、前記非接触ＩＣカード制御部３０３は  非接触ＩＣカード３０２の情報を読み書きする機能と共に、時間経過を監視して一定時間毎に非接触ＩＣカード３０２の存在を検知する役割を実行する。
【００２１】
こうした証明書発行装置１００は、本発明の証明書発行方法を実行する機能を実現すべく書き換え可能メモリなどのプログラムデータベース１１に格納されたプログラム１２をメモリ１３に読み出し、演算装置たるＣＰＵ１４により実行する。
【００２２】
また、前記証明書発行装置１００は、コンピュータ装置が一般に備えている各種キーボードやボタン類などの入出力インターフェイス１５、ならびに監視端末２０１やサーバ２０２との間のデータ授受を担う通信手段１６などを有している。
【００２３】
証明書発行装置１００は、前記通信手段１６により、前記監視端末２０１やサーバ２０２らと例えばインターネットやＬＡＮ、シリアル・インターフェース通信線などのネットワーク２０４を介して接続し、証明書情報のデータ授受を実行したりする。証明書発行装置１００の各種機能部と通信手段１６との間ではＩ／Ｏ部１７がデータのバッファリングや各種仲介処理を実行している。
【００２４】
続いて、前記証明書発行装置１００が例えばプログラム１２に基づき構成・保持する機能部につき説明を行う。なお、前記証明書発行装置１００は、非接触ＩＣカードを、非接触ＩＣカードのカードリーダ１０１近傍の所定位置に保持するカード保持部（受け皿３０５）を備えているものとする。
【００２５】
前記証明書発行装置１００は、前記非接触ＩＣカード３０２の読取り情報を前記カードリーダ１０１から取得し、当該読取り情報に基づき証明書の作成・発行処理を実行する証明書作成・発行部６２０を備える。なお、この証明書作成・発行部６２０は、証明書情報作成機能６０４、証明書発行機能６０５からなるものとする。
【００２６】
また、証明書発行装置１００は、前記証明書の発行処理終了後、予め設定した時間経過後に、前記カードリーダ１０１から前記非接触ＩＣカード３０２への読取り動作を実行し、当該非接触ＩＣカード３０２が前記所定位置に存在するか否かを判定する、非接触ＩＣカード検知部６０７を備える。
【００２７】
また、証明書発行装置１００は、前記判定において、前記非接触ＩＣカード３０２が前記所定位置に存在していた場合、非接触ＩＣカード３０２の残置警告を出力インターフェイスに出力する、警告出力部６３０を備える。なお、この警告出力部６３０は、警告発生機能６０９、警告情報作成機能６１０からなるものとする。
【００２８】
また、証明書発行装置１００は、非接触ＩＣカード３０２が前記所定位置に存在するか否かの前記判定において、前記非接触ＩＣカード３０２が前記所定位置に存在していた場合、非接触ＩＣカード３０２に対する無効化処理を前記カードリーダ１０１または非接触ＩＣカード３０２の有効性情報を管理するサーバ２０２などの外部装置に指示する、カード無効化部６１１を備えることとすれば好適である。
【００２９】
また、証明書発行装置１００は、前記無効化処理により無効化された非接触ＩＣカード３０２に関して、前記カードリーダ１０１より読取り情報の取得がなされた場合、前記非接触ＩＣカード３０２に紐付けされた暗証番号の入力を入力インターフェイスより受付て、当該暗証番号に基づく本人確認処理を実行する、本人確認部６０３を備えるものとすれば好適である。
【００３０】
また、証明書発行装置１００は、前記本人確認処理により、暗証番号が正しく前記非接触ＩＣカード３０２の所持者であるとされた場合、前記非接触ＩＣカード３０２に対する有効化処理を前記カードリーダ１０１または非接触ＩＣカード３０２の有効性情報を管理するサーバ２０２などの外部装置に指示する、カード有効化部６１２を備えるものとすれば好適である。
【００３１】
また他に、証明書発行装置１００は、非接触ＩＣカード３０２との情報送受部６０１、サーバ２０２との情報送受部６０２、監視設定時間テーブル６０６、時間管理部６０８、を備える。
【００３２】
なお、これまで示した証明書発行装置１００における各機能部６０１〜６１２は、ハードウェアとして実現してもよいし、メモリやＨＤＤ（Hard Disk Drive）などの適宜な記憶装置に格納したプログラムとして実現するとしてもよい。この場合、前記ＣＰＵ１４がプログラム実行に合わせて記憶装置より該当プログラムをメモリ１３に読み出して、これを実行することとなる。
【００３３】
また、前記ネットワーク２０４に関しては、インターネット、ＬＡＮの他、ＡＴＭ回線や専用回線、ＷＡＮ（Wide Area Network）、電灯線ネットワーク、無線ネットワーク、公衆回線網、携帯電話網、シリアル・インターフェース通信線など様々なネットワークを採用することも出来る。また、ＶＰＮ（Virtual Private Network）など仮想専用ネットワーク技術を用いれば、インターネットを採用した際にセキュリティ性を高めた通信が確立され好適である。なお、前記シリアル・インターフェイスは、単一の信号線を用いて１ビットずつ順次データを送るシリアル伝送で、外部機器と接続するためのインターフェースを指し、通信方式としてはRS-232C、RS-422、IrDA、USB、IEEE1394、ファイバ・チャネルなどが想定できる。
【００３４】
−−−メインフロー−−−
以下、証明書発行方法の実際手順について、図に基づき説明する。なお、以下で説明する証明書発行方法に対応する各種動作は、前記証明書発行装置１００がメモリ１３に読み出して実行するプログラム１２によって実現される。そして、このプログラム１２は、以下に説明される各種の動作を行うためのコードから構成されている。
【００３５】
図３は、本実施形態における証明書発行方法の実際手順例１を示すフロー図である。証明書発行装置１００は、証明書発行の処理を開始したとする（ステップ４００）。なお、この例では証明書発行装置１００に音声ガイダンス機能を備えることを想定している。従って、証明書発行装置１００は、非接触ＩＣカード３０２をカードリーダ１０１へ置くよう音声ガイダンスを前記スピーカ１０２より出力すると共に、非接触ＩＣカード制御部３０３がカードリーダ１０１内の非接触ＩＣカード３０２に接続するための検索処理を実行する（ステップ４０１）。
【００３６】
ここの処理において、非接触ＩＣカード３０２とカードリーダ１０１とが正常に接続されたら、非接触ＩＣカード制御部３０３は、非接触ＩＣカード３０２の読み取り処理を実行し、読取り結果をサーバ２０２へ送信して認証依頼を行う（ステップ４０２）。サーバ２０２からの認証結果を受け取って認証処理を実行後、前記証明書情報作成部６０４および証明書発行部６０５が、証明書発行取引の処理を行う（図３では省略）。
【００３７】
前記の証明書発行処理終了後、前記時間管理部６０８が、監視設定時間テーブル６０６において設定された所定の時間だけ証明書発行装置１００が待機状態となるべく制御する（ステップ４０３）。
【００３８】
このような状況において、前記非接触ＩＣカード３０２との情報送受部６０１が、非接触ＩＣカード３０２からカード情報を取得できない場合、非接触ＩＣカード検知部６０７は非接触ＩＣカード３０２が電波有効範囲外に遠ざかった、すなわち非接触ＩＣカード３０２が利用者に回収されたと判断し、時間管理部６０８は待機処理を終了する。
【００３９】
一方、非接触ＩＣカード３０２との情報送受機能６０１が、非接触ＩＣカード３０２よりカード情報を取得できた場合は、非接触ＩＣカード３０２が電波有効範囲内にある、すなわち取り忘れが生じていると認識し、時間管理部６０８は監視設定時間テーブル６０６に設定された第１制限時間を待機時間が超えているか判定する（ステップ４０６）。
【００４０】
ここで、第１制限時間は非接触ＩＣカード３０２の受け取りを促す音声警告（残置警告）を、前記スピーカ１０２より出力する最大時間である。前記カードリーダ１０１に非接触ＩＣカード３０２が残置されている時間がこの第１制限時間以内であれば（ステップ４０６：制限時間内）、警告発生部６０９により音声警告をスピーカ１０２より発生し（ステップ４０９）、ステップ４０４に処理を戻す。
【００４１】
他方、前記カードリーダ１０１に非接触ＩＣカード３０２が残置されている時間が第１制限時間を超えている場合（ステップ４０６：制限時間を超えている）、時間管理部６０８は、前記カードリーダ１０１に非接触ＩＣカード３０２が残置されている時間が、監視設定時間テーブル６０６に設定された第２制限時間を超えているか判定する（ステップ４０７）。ここで第２制限時間とは、取り忘れた非接触ＩＣカード３０２に無効化処理を実行するまでの待ち時間である。
【００４２】
前記判定において、前記カードリーダ１０１に非接触ＩＣカード３０２が残置されている時間が第２制限時間以内であれば（ステップ４０７：製現像装置時間内）、警告情報作成部６１０により警告情報を作成し、監視端末２０１へ警告を送信し（ステップ４１０）、処理をステップ４０３に戻す。
【００４３】
他方、前記カードリーダ１０１に非接触ＩＣカード３０２が残置されている時間が第２制限時間を超えている場合（ステップ４０７：制限時間を超えている）、非接触ＩＣカード無効化部６１１により、サーバ２０２内の該当する非接触ＩＣカード３０２の管理情報の有効・無効フラグを無効情報に書き換える。これにより前記非接触ＩＣカード３０２の無効化処理を実行し（ステップ４０８）、処理を終了する。
【００４４】
−−−有効化処理のフロー−−−
次に、一度無効化された非接触ＩＣカード３０２を有効化する処理フローについて説明する。図４は本実施形態における証明書発行方法の実際手順例２を示すフロー図である。証明書発行装置１００は、証明書発行処理を開始したものとする（ステップ５００）。証明書発行装置１００は、上記フロー同様に、非接触ＩＣカード３０２をカードリーダ１０１へ置くよう音声ガイダンスをスピーカ１０２より出力すると共に、非接触ＩＣカード制御部３０３がカードリーダ１０１内の非接触ＩＣカード３０２に接続するための検索処理を実行する（ステップ５０１）。
【００４５】
カードリーダ１０１と非接触ＩＣカード３０２とが正常に接続したら、非接触ＩＣカード情報送受部６０１により非接触ＩＣカード３０２の読み取り処理を実行する（ステップ５０２）。また、本人確認部６０３により非接触ＩＣカード３０２の有効及び無効を判定する（ステップ５０３）。この判定は、例えば前記サーバ２０２に該当非接触ＩＣカード３０２の有効または無効についてのステータスを問い合わせることで実行できる。
【００４６】
前記判定において、非接触ＩＣカード３０２が有効であった場合は（ステップ５０３：有効）、取引を続行する。一方、前記判定において、非接触ＩＣカード３０２が無効であった場合は（ステップ５０３：無効）、スピーカ１０２より暗証番号を問い合せるガイダンスを出力し、証明書発行装置１００に設置したキーやタッチパネルなどの入力インターフェイス１５より暗証番号の入力を受け付ける（ステップ５０５）。
【００４７】
証明書発行装置１００の本人確認部６０３は、前記受け付けた暗証番号に基づく本人確認を実行する。この処理は、前記サーバ２０２に暗証番号の問合わせを行って実行してもよいし、非接触ＩＣカード３０２内のメモリに格納されている暗証番号と照合するとしてもよい。この本人確認処理により、前記暗証番号が正しい暗証番号と一致していれば（ステップ５０６：一致）、非接触ＩＣカード有効化部６１２により、上記無効化処理と同様の方法で非接触ＩＣカード３０２を有効化し（ステップ５０９）、取引を続行する。
【００４８】
他方、前記本人確認処理により、前記暗証番号が正しい暗証番号と不一致であったならば（ステップ５０６：不一致）、処理を終了する。
【００４９】
本発明の証明書発行装置によれば、検知専用の読み取り処理を繰り返して非接触ＩＣカードがカード保持部にあるかどうかを定期的に検知し、警告発生時間として設定した取引終了後からの経過時間後にカードを検知した場合にのみカードの受け取りを促す警告を発することができる。したがって、警告を適宜なタイミング、適宜な時間にわたり発生することができる。
【００５０】
また、カードを取り忘れた場合に、管理者等へも警告情報を送信することで、利用者がその場にいない場合でも、管理者によって取り忘れたカードの確保が可能となる。
【００５１】
また、カードが取り忘れ状態で、かつ一定時間警告を発してもカードが確保されない場合に、カードを無効化することで、カードの不正使用を確実に防止することができる。
【００５２】
また、暗証番号を用いた本人確認処理によって、一度は無効化されたカードを有効化することで、カードが本人によって拾得されたものであれば管理者側での操作無しに、有効なカードに戻すことができる。
【００５３】
したがって、カードの取り忘れが簡便確実に防止可能となる。
【００５４】
以上、本発明の実施の形態について、その実施の形態に基づき具体的に説明したが、これに限定されるものではなく、その要旨を逸脱しない範囲で種々変更可能である。
【図面の簡単な説明】
【００５５】
【図１】本実施形態における証明書発行装置を含むネットワーク構成図である。
【図２】本実施形態におけるカードリーダを示す概要図である。
【図３】本実施形態における証明書発行方法の実際手順例１を示すフロー図である。
【図４】本実施形態における証明書発行方法の実際手順例２を示すフロー図である。
【符号の説明】
【００５６】
１１  プログラムデータベース
１２  プログラム
１３  メモリ
１４  ＣＰＵ
１５  入出力インターフェイス
１６  通信手段
１７  Ｉ／Ｏ部
１００  証明書発行装置
１０１  カードリーダ
１０２  スピーカ
２０１  監視端末
２０２  サーバ
２０３  データベース
２０４  ネットワーク
３０１  アンテナ
３０２  非接触ＩＣカード
３０３  非接触ＩＣカード制御部
３０４  電波取得範囲のライン
３０５  受け皿、カード保持部
６０１  非接触ＩＣカードとの情報送受部
６０２  サーバとの情報送受部
６０３  本人確認部
６０４  証明書情報作成機能
６０５  証明書発行機能
６０６  監視設定時間テーブル
６０７  非接触ＩＣカード検知部
６０８  時間管理部
６０９  警告発生機能
６１０  警告情報作成機能
６１１  カード無効化部
６１２  カード有効化部
６２０  証明書作成・発行部
６３０  警告出力部
【図１】
2006146558.tif 000003
【図２】
2006146558.tif 000004
【図３】
2006146558.tif 000005
【図４】
2006146558.tif 000006